(57)【特許請求の範囲】
【請求項１】
紙面に筆記した筆跡を消去可能な消去部材を備え、軸筒の後端部に取り付けられた天冠をノックすることによって軸筒の先端部からリフィルのペン先を出没させるノック式の筆記具において、
前記天冠を形成する筒体の内部に前記消去部材を取り付け、
前記消去部材には前記筒体の開口部から突出する突出部を設け、
前記天冠から突出する前記突出部を、前記筆記具の軸筒内に設けられ、前記天冠のノック操作で前記リフィルのペン先に出没動作を行わせるノック機構の前記後端部側の端部に、着脱可能に接続すると共に、
前記消去部材は、前記ノック機構の最も前記後端部側に位置するノック棒に、嵌合によって接続したことを特徴とする消去部材付筆記具。
【発明の詳細な説明】
【技術分野】
【０００１】
本発明は、筆記具で紙面に筆記した筆跡を消去可能な消去部材を保護する保護部材を備える消去部材付筆記具に関する。
【背景技術】
【０００２】
近年、熱変色性インクを使用したボールペンやカラーマーカー等の筆記具が普及している。このような熱変色性インクを使用した筆記具の軸筒の後方（筆記具のペン先側を前方、反対側を後方とする）には、弾性材料で形成された摩擦体が設けられており、筆記した筆跡を摩擦体で擦って生じる摩擦熱で熱変色性インクを熱変色させて筆跡を消去している。尚、ここで言う、筆跡は、紙面に書かれている文字や絵の両方を意味するものとする（大辞林第三版参照）。
【０００３】
このような熱変色性インクを使用した筆記具では、摩擦体が軸筒の後方に露出した状態で設けられているために、非使用時に摩擦体に埃や手垢が付着することがある。このため、筆記後に埃や手垢が付着した摩擦体で筆跡を擦ると、埃や手垢が紙面に移って紙面を汚す場合があった。
【０００４】
そこで、非使用時には摩擦体をカバーで覆うようにした熱変色性筆記具が特許文献１に開示されている。特許文献１では、摩擦体が露出状態で取り付けられた筆記具の軸筒の後端開口部の周囲に雄ネジを形成し、摩擦体に被せるカバーの開口部の内周面には雌ネジを形成して、カバーを軸筒の後端部に螺合させて非使用時の摩擦体を隠している。
【０００５】
そして、特許文献１では、筆記具の軸筒の後端部に螺合させたカバーが、軸筒の後端部から外れないようにするために、カバーを軸筒の後端部に螺合させて摩擦体に被せた時に、カバーの底部が摩擦体に圧着するようにして、螺合部に摩擦体の弾発力を作用させている。また、特許文献１には、カバーの底部にスポンジを貼り付けたり、ブラシを取り付けたりして、カバーを筆記体の軸筒に螺合させた時に、螺合部にスポンジやブラシによる弾発力が作用する構造も開示されている。
【０００６】
ところが、特許文献１に記載の熱変色性筆記具では、カバーを軸筒の後端部に完全に螺合させるまでには、カバーと軸筒の後端部とを何周も相対回転させる必要があり、カバーの軸筒の後端部への装着までに時間がかかるという課題があった。また、カバーを軸筒の後端部に完全に装着させるまでの相対回転数が多いために、装着が完了したと思って回転を途中でやめた場合には、カバーと軸筒の後端部との螺合強度が小さく、カバーが外れてカバーを紛失するという課題もあった。
【０００７】
そこで、カバーと軸筒の後端部との嵌合をネジ嵌合以外に、圧入嵌合や凹凸嵌合とすることが特許文献２に開示されている。カバーは特許文献２では保護部材と記載されている。圧入嵌合は保護部材の内周面で軸筒の後端部に設けられた弾性力を備える摩擦体を圧縮して保護部材と軸筒の後端部とを嵌合させるものである。また、凹凸嵌合は保護部材の内周面に環状に突条を設け、摩擦体の下端部にも環状に突条を設けて、保護部材内部の突条が摩擦体側の突条を乗り越えさせて係止させるものである。
【０００８】
更に、特許文献１における、摩擦体の使用時に摩擦体から取り外したカバーを紛失し易い課題を解決するために、特許文献２には取り外した保護部材が取り付けられる摩擦体の係止部が筆記具の軸筒やキャップに設けられている。特許文献２では、取り外した保護部材を軸筒やキャップに係止させるので、保護部材の紛失の虞が無い。
【先行技術文献】
【特許文献】
【０００９】
【特許文献１】特開２０１４−１２４８１０号公報
【特許文献２】特開２０１４−１４１０７７号公報
【発明の概要】
【発明が解決しようとする課題】
【００１０】
しかしながら、特許文献２のように摩擦部材の使用時に取り外した保護部材を係止部に取り付ける構造では、摩擦部材で筆跡を消去するまでに、取り外した保護部材を係止部に取り付ける動作が必要であるので、消去動作を直ちに行うことができず、消去動作までに時間がかかる課題があった。また、特許文献１に開示の筆記具も特許文献２に開示の筆記具も、摩擦部材が軸筒側に設けられているので、筆記した筆跡を消去する場合には保護部材を外した後に、軸筒を反転させて摩擦動作を行うことになるため、筆記から消去動作までの時間がかかるという課題もあった。
【００１１】
本発明は、筆跡消去時に消去部材付筆記具の消去部材を保護する保護部材（カバー）である天冠を外すと直ちに筆跡の消去動作を行うことができると共に、天冠の筆記具の軸筒に対する着脱も容易である消去部材付筆記具を提供することを目的とする。
【課題を解決するための手段】
【００１２】
本発明の一態様によれば、紙面に筆記した筆跡を消去可能な消去部材を備え、軸筒の後端部に取り付けられた天冠をノックすることによって軸筒の先端部からリフィルのペン先を出没させるノック式の筆記具において、天冠を形成する筒体の内部に消去部材を取り付け、消去部材には筒体の開口部から突出する突出部を設け、天冠から突出する突出部を、筆記具の軸筒内に設けられ、天冠のノック操作でリフィルのペン先に出没動作を行わせるノック機構の後端部側の端部に、着脱可能に接続した消去部材付筆記具が提供される。
【００１３】
消去部材は、ノック機構の最も後端部側に位置するノック棒に嵌合によって接続することができる。また、ノック棒の後端部は、軸筒の後端側の端面よりも軸筒の先端部側に位置している消去部材付筆記具が提供される。更に、リフィルには熱変色性インクが収容され、リフィルによって筆記された筆跡は、消去部材によって擦過した際に生じる摩擦熱で熱変色可能である。
【００１４】
そして、天冠に設けた消去部材をノック棒の端部に取り付ける別の態様としては、以下の態様が考えられる。
【００１５】
（ａ）消去部材の外周面に突条を設け、ノック棒の内周面に複数の突起を設け、消去部材の突条がノック棒の突起を乗り越えて天冠がノック棒に取り付けられる態様。
（ｂ）消去部材の外周面に突条を設け、ノック棒の内周面にも突条を設け、消去部材の突条がノック棒の突条を乗り越えて天冠がノック棒に取り付けられる態様。
（ｃ）消去部材の外周面に突条を設け、ノック棒の内周面には環状溝を設け、消去部材の突条がノック棒の溝に入って天冠がノック棒に取り付けられる態様。
（ｄ）消去部材の外周面に複数の突起を設け、ノック棒の内周面に突条を設け、消去部材の突起がノック棒の突条を乗り越えて天冠がノック棒に取り付けられる態様。
（ｅ）消去部材の外周面に複数の突起を設け、ノック棒の内周面には環状溝を設け、消去部材の突起がノック棒の溝に入って天冠がノック棒に取り付けられる態様。
（ｆ）消去部材の外周面に環状の溝を設け、ノック棒の内周面に複数の突起を設け、消去部材の溝にノック棒の突起が入って天冠がノック棒に取り付けられる態様。
（ｇ）消去部材の外周面に環状の溝を設け、ノック棒の内周面に突条を設け、消去部材の溝にノック棒の突条が入って天冠がノック棒に取り付けられる態様。
【発明の効果】
【００１６】
本発明の消去部材付筆記具によれば、消去部材を保護して筆記具の軸筒の後端部に取り付けられた天冠の、筆記具のノック棒との結合部に消去部材を設けたので、筆記具から天冠を取り外すと、筆記具を反転させることなく、直ちに筆跡の消去を行うことができる。また、筆跡の消去は天冠を保持して行うので、筆跡消去時に天冠を紛失する虞もない。
【図面の簡単な説明】
【００１７】
【図１】（ａ）は本発明の消去部材付筆記具の、非筆記状態における正面図、（ｂ）は（ａ）に示した消去部材付筆記具の縦断面図、（ｃ）は（ｂ）に示した消去部材付筆記具の、後ろ側を部分的に拡大した部分拡大断面図である。
【図２】（ａ）は図１（ａ）に示した消去部材付筆記具から消去部材付天冠が取り外された状態を示す正面図、（ｂ）は図１（ｂ）に示した消去部材付筆記具から消去部材付天冠が取り外された状態を示す縦断面図、（ｃ）は図１（ｃ）に示した状態から消去部材付天冠が取り外された状態を示す部分拡大断面図である。
【図３】本発明の消去部材付筆記具に使用する第１実施例の消去部材付天冠の構造を示すものであり、（ａ）は消去部材付天冠をノック棒挿入側から見た斜視図、（ｂ）は消去部材付天冠を後ろ側から見た斜視図、（ｃ）は消去部材付天冠の正面図、（ｄ）は消去部材付天冠の左側面図、（ｅ）は消去部材付天冠の右側面図である。
【図４】本発明の消去部材付筆記具に使用する第１実施例のノック棒の構造を示すものであり、（ａ）はノック棒を筆記具の先端側から見た斜視図、（ｂ）はノック棒を後ろ側から見た斜視図、（ｃ）はノック棒の正面図、（ｄ）はノック棒の左側面図、（ｅ）はノック棒の右側面図、（ｆ）はノック棒の軸線方向の断面図である。
【図５】（ａ）は図３に示した消去部材付天冠を図４に示したノック棒を備える筆記具の後端側から、ノック棒に取り付ける動作を示す斜視図、（ｂ）は（ａ）に示した状態から消去部材付天冠がノック棒に取り付けられた状態を示す斜視図である。
【図６】本発明の消去部材付筆記具に使用する第１から第３実施例のノック棒の後端部分と、これに取り付けられる第１から第３実施例の消去部材付天冠の、使用可能な組み合わせを示す説明図である。
【図７】本発明の消去部材付筆記具に使用する第４実施例の消去部材付天冠の構造を示すものであり、（ａ）は消去部材付天冠がノックに取り付けられた状態を示す消去部材付筆記具の後ろ側の部分拡大断面図、（ｂ）は第４実施例の消去部材付天冠の正面図、（ｃ）は消去部材付天冠を筆記具の先端側から見た斜視図、（ｄ）は消去部材付天冠を後ろ側から見た斜視図である。
【図８】本発明の消去部材付筆記具に使用する第５実施例と第６実施例の消去部材付天冠の構造を示すものであり、（ａ）は第５実施例の消去部材付天冠の正面図、（ｃ）は第６実施例の消去部材付天冠の正面図である。
【図９】本発明の消去部材付筆記具に使用する第７実施例の消去部材付天冠の構造を示すものであり、（ａ）は第７実施例の消去部材付天冠の正面図、（ｂ）は第７実施例の消去部材付天冠の縦断面図である。
【図１０】本発明の消去部材付筆記具に使用する第８実施例の消去部材付天冠の構造を示すものであり、（ａ）は第８実施例の消去部材付天冠の正面図、（ｂ）は第８実施例の消去部材付天冠の縦断面図である。
【図１１】本発明の消去部材付筆記具に使用する第９実施例の消去部材付天冠の構造を示すものであり、（ａ）は第９実施例の消去部材付天冠の正面図、（ｂ）は第９実施例の消去部材付天冠の縦断面図である。
【図１２】本発明の消去部材付筆記具に使用する第１０実施例の消去部材付天冠の構造を示すものであり、（ａ）は第１０実施例の消去部材付天冠の正面図、（ｂ）は第１０実施例の消去部材付天冠の縦断面図である。
【図１３】本発明の消去部材付筆記具に使用する第１１実施例の消去部材付天冠の構造を示すものであり、（ａ）は第１１実施例の消去部材付天冠の正面図、（ｂ）は第１１実施例の消去部材付天冠の縦断面図である。
【図１４】本発明の消去部材付筆記具に使用する第１２実施例の消去部材付天冠の構造を示すものであり、（ａ）は第１２実施例の消去部材付天冠の正面図、（ｂ）は第１２実施例の消去部材付天冠の縦断面図である。
【発明を実施するための形態】
【００１８】
以下、図面を参照しながら本発明の実施の形態を詳細に説明する。全図面に渡り、対応する構成要素には共通の参照符号を付す。
【００１９】
図１（ａ）は本発明の第１実施例の消去部材付天冠１０と第１実施例のノック棒３０が設けられた消去部材付筆記具１の非筆記状態を正面から見たものであり、図１（ｂ）は図１（ａ）に示した消去部材付筆記具１の縦断面を示している。また、図１（ｃ）は図１（ｂ）の消去部材付天冠１０とノック棒３０の結合部分を拡大して示している。なお、以後の実施例の説明では、消去部材付天冠は単に天冠と記す。
【００２０】
消去部材付筆記具１はノック式筆記具であり、クリップ９が本体部に設けられており、筆記側の反対側にノック用の天冠１０が設けられている。天冠１０は消去部材付筆記具１から取り外すことができる。なお、以後の説明では筆記側を前方或いは前側と記し、筆記側の反対側を後方或いは後ろ側と記す。また、消去部材付筆記具１は以後ノック式筆記具１とも記す。ノック式筆記具１は、軸筒が前軸２、後軸３及びクリップ９を備える内筒８を備えている。前軸２の後ろ側は、後軸３の前端部の内部に挿入され、雌雄のネジ溝によって螺合している。内筒８は、後軸３と一体に形成しても良く、また、前軸２及び後軸３も、一体に形成しても良い。
【００２１】
また、図１（ｂ）に示すように、ノック式筆記具１の前軸２、後軸３及び内筒８の内部には、一端に筆記部５ａを備えた筆記体であるリフィル５と、リフィル５を後方へ付勢するスプリング６と、後軸３の後ろ側の端部（後端部）に配置されたノック機構５０がある。ノック機構５０には、天冠１０に接続するノック棒３０と、ノック棒３０とリフィル５との間に設けられた回転子６０がある。リフィル５には、例えば、後述する消去部材で擦られると変色して透明になる熱変色性インク、或いは後述する消去部材で紙面から剥ぎとられるインクが収容されているものとする。
【００２２】
前軸２の前側はテーパ状に形成され、前側の端部（前端部）にはリフィル５の筆記部５ａを突出させるための貫通孔２ａが形成されている。天冠１０を押圧するノック操作を行うと、ノック棒３０と回転子６０により、リフィル５の筆記部５ａが貫通孔２ａから突出する筆記状態と、筆記部５ａが貫通孔２ａの内側に収容される非筆記状態になる。天冠１０が押圧された時のノック機構５０によるノック式筆記具１の筆記状態と非筆記状態の切り換えについては、直接本発明と関係がないので、これ以上の説明を省略する。
【００２３】
図２（ａ）は図１（ａ）に示したノック式筆記具１から天冠１０が取り外された状態を示すものであり、図２（ｂ）は図２（ａ）に示したノック式筆記具１の縦断面を示している。また、図２（ｃ）は図１（ｃ）に示した状態から天冠１０がノック棒３０の後端部から取り外された状態を示している。
【００２４】
図１（ｃ）及び図２（ｃ）から分かるように、本発明では、天冠１０の内周面１１に消去部材７が取り付けられている。筆跡の消去に使用する消去部材７には天冠１０から突出する突出部７０があり、この突出部７０がノック棒３０と結合する。突出部７０とノック棒３０との結合は、突出部７０に設けられた突条７１とノック棒３０に設けられた突起３１によって行われるが、両者の結合については後述する。また、ノック式筆記具１を用いて紙面に描かれた筆跡を消去する場合は、天冠１０をその外周面１２を把持することによって取り外し、天冠１０から突出する消去部材７の突出部７０を使用する。ここで、第１実施例の天冠１０の構造及び第１実施例のノック棒３０の構造について図３から図５を用いて説明する。
【００２５】
図３（ａ）は天冠１０をノック棒３０との挿入側（前方）から見たものであり、図３（ｂ）は図３（ａ）に示した天冠１０を反対側から見たものである。また、図３（ｃ）は図３（ａ）に示した天冠１０を横にして正面から見たものであり、図３（ｄ）は図３（ｃ）に示した天冠１０の左側面図であり、図３（ｅ）は天冠１０の右側面図である。天冠１０の軸線方向の断面は図２（ｃ）に示したのでここでは図示を省略する。
【００２６】
図２（ｃ）に示したように、天冠１０の内周面１１には消去部材７が隙間なく取り付けられている。消去部材７は天冠１０の開口部１６から円柱状に突出する突出部７０を備えており、突出部７０の基部側に突条７１が形成されている。突条７１の突出部７０の外周面からの高さは、図３（ｄ）から分かるように、ごく僅かである。また、突条７１の断面の外形形状は円弧状、或いは楕円の一部状である。消去部材７は、天冠１０が金属製や硬質プラスチック製の場合は、天冠１０の内周面に嵌合、圧入、或いは接着剤によって接着して取り付けることができる。また、天冠１０と消去部材７を二色成形等によって形成することも可能である。
【００２７】
図４（ａ）から図４（ｆ）は、図１（ｂ）、図２（ｂ）に示したノック式筆記具１のノック機構５０から取り出した第１実施例のノック棒３０の構造を示すものである。図４（ａ）はノック棒３０を前方から見たものであり、図４（ｂ）は図４（ａ）に示したノック棒３０を反対側から見たものであり、図４（ｃ）は図４（ａ）に示すノック棒３０を横にして正面から見たものである。また、図４（ｄ）は図４（ｃ）に示すノック棒３０を左側から見たものであり、図４（ｅ）は右側から見たものである。更に、図４（ｆ）は図４（ｃ）に示すノック棒３０の軸線方向の断面を示している。
【００２８】
ノック棒３０は円筒状の部材であり、ノック機構の回転子に接続する側の端面にカムが形成され、外周面に複数個の突起が設けられている。また、ノック棒３０の天冠と接続する側の端面は平坦である。一方、ノック棒３０の内周面３４の内径は天冠から突出する消去部材の突出部の外形よりも僅かに大きく、内周面３４の天冠と接続する側には突起３１が形成されている。
【００２９】
突起３１の内周面３４からの高さは図４（ｄ）、（ｅ）に示すように極僅かである。また、突起３１の端面は、第１実施例では平坦面であるが、突起３１は内周面３４からドーム状に盛り上げても良い。第１実施例では、突起３１は内周面３４の周方向に複数個、等間隔で並んでいる。このため、天冠１０がノック棒３０に取り付けられると、消去部材７の突出部７０にある突条７１が、ノック棒３０の内周面３４に設けられた突起３１を乗り越え、図１（ｃ）に示したように、突条７１が突起３１によって係止される。
【００３０】
そして、ノック棒３０が取り付けられたノック式筆記具１は、非筆記状態では、図２（ｃ）に示すように、ノック棒３０の後端部が、内筒８の後端部にある開口部８ａよりも内筒８の内側にある。このため、ノック式筆記具１が非筆記状態で、天冠１０が取り外された状態では、ノック棒３０の端部を外部から押してノック式筆記具１を筆記状態にすることは困難である。このように、ノック式筆記具１が非筆記状態で、天冠１０が取り外された場合に、ノック式筆記具１が筆記状態にならないようにノック棒３０の長さを定めてある。このため、ノック式筆記具１が非筆記状態で、天冠１０が取り外された状態では、ノック棒３０の端部は内筒８の開口部８ａから突出せず、開口部８ａより低い位置にある。
【００３１】
図５（ａ）は図３に示した天冠１０を、図４に示したノック棒３０を備えるノック式筆記具１の後端側から、ノック棒３０に取り付ける動作を示すものである。ノック棒３０の端部は、ノック式筆記具１の内筒８の後端部にある開口部８ａよりも奥に位置した状態でノック式筆記具１に取り付けられている。天冠１０をノック棒３０の端側に取り付ける場合は、天冠１０の外周面１２を把持した状態で、天冠１０から突出する消去部材７の突出部７０を開口部８ａから内筒８に挿入し、ノック棒３０の中に差し込む。すると、突出部７０の外周面に設けられた突条７１がノック棒３０の内周面に設けられた突起３１を乗り越えて突出部７０がノック棒３０に挿入される。
【００３２】
図５（ｂ）は図５（ａ）に示した状態から天冠１０がノック式筆記具１の内筒８に挿入されてノック棒３０に取り付けられた状態を示すものである。この状態では、図１（ｃ）に示すように、突出部７０に設けられた突条７１が突起３１を乗り越えて係合していると共に、天冠１０の端面１５がノック棒３０の端面３５に当接している。この結果、ノック式筆記具１の後端部からノック棒３０に取り付けた天冠１０が抜け難くなる。
【００３３】
第１実施例の天冠１０は消去部材の突出部７０の外周面に突条７１が設けられたものであり、第１実施例のノック棒３０は内周面に突起３１が設けられたものであった。第１実施例の天冠１０を、図６の最も上の右側の図に示し、第１実施例のノック棒３０を図６の最も上の左側の図に断面で示す。
【００３４】
一方、天冠については、図６の中央の右側の図に示す第２実施例の天冠１０Ａ及び図６の最も下の右側の図に示す第３実施例の天冠１０Ｂが可能である。第２実施例の天冠１０Ａは、突出部７０の外周面に突起７２が設けられたものである。第３実施例の天冠１０Ｂは、突出部７０の外周面に環状溝７３を備えるものである。環状溝７３の位置は第１実施例の天冠１０における突条７１の位置よりも天冠１０Ｂ側に近く、第１実施例のノック棒３０との結合時に、突起３１を受け入れる位置である。
【００３５】
また、ノック棒については、図６の中央の左側の図に断面で示す第２実施例のノック棒３０Ａ、及び図６の最も下の左側の図に断面で示す第３実施例のノック棒３０Ｂが可能である。第２実施例のノック棒３０Ａは、内周面３４に、突起の代わりに突条３２が設けられたものである。第３実施例のノック棒３０Ｂは、内周面に環状溝３３を備えるものである。環状溝３３の位置は第１実施例の天冠１０における突起３１の端面３５からの位置よりも遠く、第１実施例の天冠１０との結合時に、突条７１を受け入れる位置である。
【００３６】
図６には、第１実施例の天冠１０、第２実施例の天冠１０Ａ及び第３実施例の天冠１０Ｂと、第１実施例のノック棒３０、第２実施例のノック棒３０Ａ及び第３実施例のノック棒３０Ｂの、可能な組み合わせが矢印で示してある。第１実施例の天冠１０は、第１から第３実施例のノック棒３０、３０Ａ、３０Ｂの全てと組み合わせることが可能である。また、第２実施例の天冠１０Ａは、第２と第３実施例のノック棒３０Ａ、３０Ｂと組み合わせることが可能である。更に、第３実施例の天冠１０Ｂは、第１と第２実施例のノック棒３０、３０Ａと組み合わせることが可能である。
【００３７】
図７（ａ）は、本発明の第４実施例の天冠１０Ｃが取り付けられたノック式筆記具１の構造を示すものである。第４実施例の天冠１０Ｃは、第１から第３実施例のノック棒３０、３０Ａ、３０Ｂの何れを備えたノック式筆記具１にも使用することができる。図７（ａ）には第１実施例のノック棒３０を備えるノック式筆記具１が示されている。
【００３８】
第４実施例の天冠１０Ｃは、図７（ｂ）から図７（ｄ）に示すように、第１実施例の天冠１０の外周面１２にリブ状の突出部１４を複数条設けたものである。突出部１４は天冠１０Ｃの外周面１２に、天冠１０Ｃの軸線を中心とした放射状に等間隔で突設されており、突出部１４は天冠１０Ｃの後端部側で、テーパ部１４ａにより天冠１０Ｃの外周面１２からの高さが次第に低くなるように形成されている。そして、突出部１４と突出部１４の間の天冠１０Ｃの外周面１２は、天冠１０Ｃを前後方向に連絡する溝１３となっている。溝１３は、天冠１０Ｃの誤飲時の気道となる。
【００３９】
天冠１０Ｃに備えられた消去部材７及び消去部材７から突出する突出部７０の形状は、突出部７０の外周面に設けられた突条７１を含めて、第１実施例の天冠１０における消去部材７とその構造が同じである。従って、第４実施例の天冠１０Ｃは、第１から第３実施例のノック棒３０、３０Ａ、３０Ｂの何れを備えたノック式筆記具１にも使用することができる。
【００４０】
第４実施例の天冠１０Ｃのように、外周面１２に軸線方向に複数の突出部１４と溝１３が設けられていると、突出部７０がノック棒３０に差し込まれている天冠１０Ｃをノック棒３０から取り外す時に、天冠１０Ｃを把持し易い。このため、天冠１０Ｃをノック棒３０から取り外し易い。突出部１４の数や溝１３の深さは特に限定されるものではなく、ノック棒３０に差し込んだ天冠１０Ｃを把持し易い形状であれば良い。また、例えば、天冠１０Ｃが金属製である場合には、天冠１０Ｃの外表面にローレット加工、梨地加工等を施しても良い。
【００４１】
同様に、図６の中央の右側の図に示す第２実施例の天冠１０Ａの外周面１２に、リブ状の突出部１４を複数条設けた図８（ａ）に示す第５の実施例の天冠１０Ｄと、図６の最も下の右側の図に示す第３実施例の天冠１０Ｂの外周面に、リブ状の突出部１４を複数条設けた図８（ｂ）に示す第６の実施例の天冠１０Ｅが可能である。
【００４２】
次に、天冠に対する消去部材の取り付け構造を示す本発明の第７実施例から第１２実施例を図９から図１４を用いて説明する。なお、以下に説明する実施例では、消去部材に全て突条が設けられているが、もちろん、突起が設けられた実施例及び環状溝が設けられた実施例も可能である。更に、以下に説明する第７から第１２実施例では、第１から第３実施例と同様に天冠の外周面に突出部は設けられていないが、第４から第６実施例と同様に天冠の外周面に突出部が設けられた実施例も可能である。
【００４３】
図９は本発明の消去部材付筆記具に使用する第７実施例の天冠１０Ｆの構造を示すものであり、図９（ａ）は第７実施例の天冠１０Ｆの正面図、図９（ｂ）は第７実施例の天冠１０Ｆの縦断面図である。第７実施例の天冠１０Ｆは、外周面１２の内部が中実であり、内周面はなく、開口部もない。そして、第７実施例の天冠１０Ｆでは、天冠１０Ｆのノック棒側の端面１７に、これまでの実施例で説明した突条７１と同様の突条７１を備えた消去部材７が突設されている。消去部材７の直径はこれまでに説明した実施例における突出部７０と同じである。消去部材７は、端面１７に接着するか、或いは天冠１０Ｆの成形時に二色成形によって端面１７に取り付けることができる。
【００４４】
図１０は本発明の消去部材付筆記具に使用する第８実施例の天冠１０Ｇの構造を示すものであり、図１０（ａ）は第８実施例の天冠１０Ｇの正面図、図１０（ｂ）は第８実施例の天冠１０Ｇの縦断面図である。第８実施例の天冠１０Ｇは、外周面１２の内部が中実であり、内周面はなく、開口部もない。一方、第８実施例の天冠１０Ｇでは、天冠１０Ｇの端面１７に、凸部１８が設けられている。凸部１８の断面形状は特に限定されるものではなく、円形、四角形、三角形、或いは多角形である。そして、天冠１０Ｇの端面１７には、これまでに説明した実施例における突出部７０と同じ外形を備える消去部材７が取り付けられる。消去部材７の外周部には突条７１が設けられており、端面１７側の消去部材７には、凸部１８が挿入される凹部７８が設けられている。凹部７８の断面形状は凸部１８の断面形状に等しい。消去部材７は、凹部７８を凸部１８に接着するか、或いは天冠１０Ｇの成形時に二色成形によって端面１７に取り付けることができる。
【００４５】
図１１は本発明の消去部材付筆記具に使用する第９実施例の天冠１０Ｈの構造を示すものであり、図１１（ａ）は第９実施例の天冠１０Ｈの正面図、図１１（ｂ）は第９実施例の天冠１０Ｈの縦断面図である。第９実施例の天冠１０Ｈは、外周面１２の内部が中実であり、内周面はなく、開口部もない。一方、第９実施例の天冠１０Ｈでは、天冠１０Ｈの端面１７に、先端部にフランジ部１９を備える凸部１８が設けられている。そして、天冠１０Ｈには、これまでに説明した実施例における突出部７０と同じ外形を備える消去部材７が取り付けられる。消去部材７の外周部には突条７１が設けられており、端面１７側の消去部材７には、凸部１８及びフランジ部１９と断面形状が同じである凹部７８、７９が設けられている。凸部１８及びフランジ部１９の断面形状は、例えば円形とすることができる。消去部材７は、凹部７８、７９を変形させて凸部１８に嵌合、圧入、又は接着するか、或いは天冠１０Ｈの成形時に二色成形によって端面１７に取り付けることができる。
【００４６】
図１２は本発明の消去部材付筆記具に使用する第１０実施例の天冠１０Ｉの構造を示すものであり、図１２（ａ）は第１０実施例の天冠１０Ｉの正面図、図１０（ｂ）は第１０実施例の天冠１０Ｉの縦断面図である。第１０実施例の天冠１０Ｉは、外周面１２の内部が中実であり、内周面はなく、開口部もない。一方、第１０実施例の天冠１０Ｉでは、天冠１０Ｉの端面１７に、柱状部２０が設けられている。この柱状部２０の直径は、第９実施例で説明した消去部材７の直径と同じになっている。そして、柱状部２０の先端部側の外周面には突条２１が形成されている。突条２１の形状は、例えば、第９実施例の天冠１０Ｈにおいて消去部材７に形成されている突条７１と同じ形状である。消去部材７は、柱状部２０の端面に接着するか、或いは天冠１０Ｉの成形時に二色成形によって端面１７に取り付けることができる。
【００４７】
図１３は本発明の消去部材付筆記具に使用する第１１実施例の天冠１０Ｊの構造を示すものであり、図１３（ａ）は第１１実施例の天冠１０Ｊの正面図、図１３（ｂ）は第１１実施例の天冠１０Ｊの縦断面図である。第１１実施例の天冠１０Ｊでは、天冠１０Ｊの端面１７に柱状部２０が設けられている。柱状部２０の直径は、第９実施例で説明した消去部材７の直径と同じである。そして、柱状部２０の先端部側の外周面には突条２１が形成されている。突条２１の形状は、例えば、第９実施例の天冠１０Ｈにおいて突出部７０に形成されている突条７１と同じ形状である。更に、第１１実施例の天冠１０Ｊでは、柱状部２０の先端部側から天冠１０Ｊの軸線方向に沿って消去部材７の取付穴２２が設けられている。本実施例では、取付穴２２は柱状部２０を貫通して、天冠１０Ｊの自由端側まで延伸されているが、取付穴２２の深さは特に限定されるものではない。一方、柱状部２０の端面に取り付けられる消去部材７には、前述の取付穴２２に挿入される取付ロッド７４が突設されている。本実施例では、取付ロッド７４の長さは取付穴２２の深さに等しいが、取付ロッド７４の長さは取付穴２２の深さよりも短くても良い。取付ロッド７４が取付穴２２に完全に挿入されると、消去部材７は柱状部２０の端面に密着する。消去部材７は、取付ロッド７４を取付穴２２に嵌合、圧入又は接着するか、或いは天冠１０Ｊの成形時に二色成形によって柱状部２０に取り付けることができる。
【００４８】
図１４は本発明の消去部材付筆記具に使用する第１２実施例の天冠１０Ｋの構造を示すものであり、（ａ）は第１２実施例の天冠１０Ｋの正面図、（ｂ）は第１２実施例の天冠１０Ｋの縦断面図である。第１２実施例の天冠１０Ｋは、外周面１２の内部が中実であり、内周面はなく、開口部もない。一方、第１２実施例の天冠１０Ｋでは、天冠１０Ｋの端面１７に柱状部２０が設けられている。この柱状部２０の直径は、第９実施例で説明した消去部材７の直径と同じになっている。そして、柱状部２０の先端部側の外周面には突条２１が形成されている。突条２１の形状は、例えば、第９実施例の天冠１０Ｈにおいて消去部材７に形成されている突条７１と同じ形状である。また、柱状部２０の先端部（端面）には凸部１８が設けられている。凸部１８の断面形状は特に限定されるものではなく、円形、四角形、三角形、或いは多角形である。そして、柱状部２０の端面には消去部材７が取り付けられる。凸部１８側の消去部材７には、凸部１８が挿入される凹部７８が設けられている。凹部７８の断面形状は凸部１８の断面形状に等しい。消去部材７は、凹部７８を凸部１８に接着するか、或いは天冠１０Ｋの成形時に二色成形によって端面１７に取り付けることができる。
【００４９】
以上説明したように、本発明のノック式筆記具では、消去部材の突出部７０又は天冠の端面に取り付けられた消去部材７は、使用時以外は、ノック棒３０、３０Ａ、或いは３０Ｂの内周面３４の内部に収納されており、外部に露出していないことから、消去部材７の汚れを防止することが可能となっている。また、以上説明した実施例における天冠１０、１０Ａから１０Ｋは、ノック棒３０、３０Ａ、或いは３０Ｂに対して簡単に取り付けることができると共に、ノック棒３０、３０Ａ、或いは３０Ｂに取り付けられた天冠１０、１０Ａから１０Ｋは、ノック棒３０、３０Ａ、或いは３０Ｂから容易に取り外すことができる。
【００５０】
上述した実施例では筆記体であるリフィルには、熱変色性インクが収容されている。この場合、ノック式筆記具は熱変色性筆記具であり、消去部材は紙面を擦った場合に、紙面との間に摩擦熱を発生させる部材で形成され、発生した摩擦熱によって、ノック式筆記具の筆跡を熱変色可能である。なお、筆記体としては、熱変色インクを収容したボールペン、熱変色芯を収容したシャープペンシル、或いは鉛筆ホルダ等が考えられる。また、リフィルに消しゴムで消去可能な消しゴム消去式インクを収容したノック式筆記具が可能である。この場合は、消去部材には、消しゴムと同様に紙面からインクを剥ぎ取る場合に摩耗する部材が選択される。
【００５１】
ここで、熱変色性インクとは、常温（例えば２５℃）で所定の色彩（第１色）を維持し、所定温度（例えば６５℃）まで昇温させると別の色彩（第２色）へと変化し、その後、所定温度（例えば−１０℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」という。したがって、描線が筆記された筆記面等に対して消去部材としての摩擦体によって擦過して摩擦熱を生じさせ、それによって描線を無色に変化、即ち、消去させる。なお、当然のことながら上記第２色は、無色以外の有色でもよい。
【００５２】
また、消しゴムで消去可能な消しゴム消去式インクを収容したリフィルを使用する筆記具では、消しゴム消去性インクは、水と、平均粒子径１．０〜１５μｍの非熱可塑性着色樹脂粒子をインク組成物全量に対して、３〜３０重量％と、０．１〜１５重量％の非着色粒子とを少なくとも含有することが必要である。
【００５３】
本発明の水性インクに用いる着色樹脂粒子は、着色された樹脂粒子からなるものであり、非熱可塑性であり、かつ、平均粒子径が１．０〜１５μｍとなるものであり、例えば、樹脂粒子中に顔料からなる着色剤が分散された着色樹脂粒子、樹脂粒子の表面が顔料からなる着色剤で被覆された着色樹脂粒子、樹脂粒子に染料からなる着色剤が染着された着色樹脂粒子などが挙げられる。
【００５４】
本実施例では、着色樹脂粒子が非熱可塑性で上記平均粒子径を充足するものであれば、その構造〔中空構造あり、中空構造なし（密実）〕、形状（球状、多角形状、扁平状、繊維状）等は特に限定されるものでないが、好ましくは、優れた消しゴム消去性、筆記性、インクとしての経時安定性を発揮させる点から、ガラス転移点が１５０℃以上で熱分解温度に近く、更にはメルトフローインデックス値が０．１未満であるような分子内架橋を持つ粒子で粘着性を有せず、かつ、平均粒子径が１．０〜１５μｍとなる球状の着色樹脂微粒子の使用が望ましい。
【００５５】
消去部材を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。
【００５６】
消去部材は、熱変色筆記具とする場合は、特にポリプロピレン樹脂及びスチレン系熱可塑性エラストマーの混合物、またはポリプロピレン樹脂及びポリプロピレン系熱可塑性エラストマーの混合物から形成され、その配合比率がそれぞれ重量比で１：１〜１：４であり、研磨剤、可塑剤、充填剤を含有せず、ＪＩＳ  Ｋ６２５１に規定されたデュロメータ硬度Ａが７０°〜１００°となる材質からなり、ＪＩＳ  Ｓ  ６０５０−２００２に規定する鉛筆描線の消し能力（消字率）が７０％以下のものである可塑剤を含有しない低摩耗性の弾性材料から形成される。それによって消去部材は、擦過時に消しカスが生じにくく、熱変色性も優れているので有効である。
【００５７】
なお、本発明における「消去」とは、上記熱変色性インクを用いた場合以外にも、筆記した描線、文字等を消しゴム等の消去部で吸着又は削ぎ落とすことをいう。更に、感圧式タッチペンや軸筒等に電導性を付与して静電容量式タッチペンの後端部に、消去部材と天冠を設けるような構成でもよい。したがって、本発明は、筆記具によって筆記された描線（筆跡）を消去できる、消去部材を備えた任意の文房具にも適用可能である。
【符号の説明】
【００５８】
１    消去部材付筆記具（ノック式筆記具）
７    消去部材
８    内筒
１０、１０Ａ〜１０Ｋ、２０、２０Ａ、２０Ｂ    天冠
１３、３３、７３    溝
１４、７０    突出部
２０    柱状部
３０、３０Ａ、３０Ｂ    ノック棒
３１、７２    突起
２１、３２、７１    突条
【図１】
0006494262.tif 000002
【図２】
0006494262.tif 000003
【図３】
0006494262.tif 000004
【図４】
0006494262.tif 000005
【図５】
0006494262.tif 000006
【図６】
0006494262.tif 000007
【図７】
0006494262.tif 000008
【図８】
0006494262.tif 000009
【図９】
0006494262.tif 000010
【図１０】
0006494262.tif 000011
【図１１】
0006494262.tif 000012
【図１２】
0006494262.tif 000013
【図１３】
0006494262.tif 000014
【図１４】
0006494262.tif 000015